(57)【特許請求の範囲】
【請求項１】
正の直流電圧が供給される状態を検出する第１トランジスタと、
負の直流電圧が供給される状態を検出する第２トランジスタと、
正の直流電圧が供給される状態を前記第１トランジスタが検出した場合、または、負の直流電圧が供給される状態を前記第２トランジスタが検出した場合にオン状態になり、サブ電源電圧をメイン電源制御回路および維持回路に供給させ、正の直流電圧が供給される状態を前記第１トランジスタが検出せず、かつ、負の直流電圧が供給される状態を前記第２トランジスタが検出しない場合にオフ状態になり、サブ電源電圧を前記メイン電源制御回路および前記維持回路に供給させない第３トランジスタと、
前記第３トランジスタがオン状態の場合にサブ電源電圧が供給されることにより、メイン電源回路をオフ状態に制御し、前記第３トランジスタがオフ状態の場合にサブ電源電圧が供給されないことにより、前記メイン電源回路をオン状態に制御する前記メイン電源制御回路と、
前記第３トランジスタがオン状態の場合にサブ電源電圧を前記第１トランジスタに供給することにより、正の直流電圧が供給される状態を前記第１トランジスタに継続的に検出させる前記維持回路とを備える、電源制御装置。
【請求項２】
正の直流電圧が供給される状態を検出する第１トランジスタと、
正の直流電圧が供給される状態を前記第１トランジスタが検出した場合にオン状態になり、サブ電源電圧をメイン電源制御回路および維持回路に供給させ、正の直流電圧が供給される状態を前記第１トランジスタが検出しない場合にオフ状態になり、サブ電源電圧を前記メイン電源制御回路および前記維持回路に供給させない第３トランジスタと、
前記第３トランジスタがオン状態の場合にサブ電源電圧が供給されることにより、メイン電源回路をオフ状態に制御し、前記第３トランジスタがオフ状態の場合にサブ電源電圧が供給されないことにより、前記メイン電源回路をオン状態に制御する前記メイン電源制御回路と、
前記第３トランジスタがオン状態の場合にサブ電源電圧を前記第１トランジスタに供給することにより、正の直流電圧が供給される状態を前記第１トランジスタに継続的に検出させる前記維持回路とを備える、電源制御装置。
【請求項３】
前記維持回路が、前記第３トランジスタの電極の１つにアノードが接続され、かつ、前記第１トランジスタの電極の１つにカソードが接続されているダイオードを有する、請求項１または２に記載の電源制御装置。
【請求項４】
負の直流電圧が供給される状態を検出する第２トランジスタと、
負の直流電圧が供給される状態を前記第２トランジスタが検出した場合にオン状態になり、サブ電源電圧をメイン電源制御回路および維持回路に供給させ、負の直流電圧が供給される状態を前記第２トランジスタが検出しない場合にオフ状態になり、サブ電源電圧を前記メイン電源制御回路および前記維持回路に供給させない第３トランジスタと、
前記第３トランジスタがオン状態の場合にサブ電源電圧が供給されることにより、メイン電源回路をオフ状態に制御し、前記第３トランジスタがオフ状態の場合にサブ電源電圧が供給されないことにより、前記メイン電源回路をオン状態に制御する前記メイン電源制御回路と、
前記第３トランジスタがオン状態の場合にサブ電源電圧を前記第２トランジスタに供給することにより、負の直流電圧が供給される状態を前記第２トランジスタに継続的に検出させる前記維持回路とを備える、電源制御装置。
【発明の詳細な説明】
【技術分野】
【０００１】
本発明は、直流電圧が供給される状態を判断したときにメイン電源回路をオフ状態に制御する電源制御装置に関する。
【背景技術】
【０００２】
増幅装置において、アンプ回路のトランジスタの破損等の原因により、アンプ回路から負荷であるスピーカーに直流（ＤＣ）電圧が供給されると、スピーカーを破損する恐れがある。この問題を防止するために、アンプ回路からスピーカーに直流電圧が供給される状態を検出し、メイン電源回路をオフ状態に制御する電源制御装置が設けられている。マイコンを備える増幅装置では、アンプ回路からスピーカーに直流電圧が供給される状態を検出すると、マイコンが、メイン電源回路用のリレースイッチをオフ状態にし、かつ、この状態を維持させることによって、メイン電源回路をオフ状態にし、スピーカーに直流電圧が供給されないようにし、スピーカーの破損を防止する。しかし、マイコンを備えない増幅装置では、検出回路において、アンプ回路からスピーカーに直流電圧が供給される状態を検出すると、メイン電源回路のリレースイッチをオフ状態にするものの、アンプ回路からスピーカーに直流電圧が供給される状態を検出しなくなるとすぐにメイン電源回路のリレースイッチをオン状態にしてしまう。従って、再度、検出回路において、アンプ回路からスピーカーに直流電圧が供給される状態を検出すると、メイン電源回路のリレースイッチを再度オフ状態にする必要が生じる。従って、メイン電源回路のリレースイッチがオン状態とオフ状態とを頻繁に繰り返し、メイン電源回路がオン状態とオフ状態とを頻繁に繰り返してしまうという問題が生じる。
【先行技術文献】
【特許文献】
【０００３】
【特許文献１】特開２００２−５１４５３号公報
【特許文献２】特開２００２−３６８５５０号公報
【発明の概要】
【発明が解決しようとする課題】
【０００４】
本発明は上記従来の課題を解決するためになされたものであり、その目的は、直流電圧が供給される状態を検出し、メイン電源回路を継続的にオフ状態にすることができる電源制御装置を提供することである。
【課題を解決するための手段】
【０００５】
本発明の好ましい実施形態による電源制御装置は、正の直流電圧が供給される状態を検出する第１トランジスタと、負の直流電圧が供給される状態を検出する第２トランジスタと、正の直流電圧が供給される状態を前記第１トランジスタが検出した場合、または、負の直流電圧が供給される状態を前記第２トランジスタが検出した場合にオン状態になり、サブ電源電圧をメイン電源制御回路および維持回路に供給させ、正の直流電圧が供給される状態を前記第１トランジスタが検出せず、かつ、負の直流電圧が供給される状態を前記第２トランジスタが検出しない場合にオフ状態になり、サブ電源電圧を前記メイン電源制御回路および前記維持回路に供給させない第３トランジスタと、前記第３トランジスタがオン状態の場合にサブ電源電圧が供給されることにより、メイン電源回路をオフ状態に制御し、前記第３トランジスタがオフ状態の場合にサブ電源電圧が供給されないことにより、前記メイン電源回路をオン状態に制御する前記メイン電源制御回路と、前記第３トランジスタがオン状態の場合にサブ電源電圧を前記第１トランジスタに供給することにより、正の直流電圧が供給される状態を前記第１トランジスタに継続的に検出させる前記維持回路とを備える。
【０００６】
正の直流電圧が供給される状態を検出したとき、または、負の直流電圧が供給される状態を検出したとき、正の直流電圧が供給される状態を第１トランジスタに継続的に検出させることによって、メイン電源回路を継続的にオフ状態にすることができる。
【０００７】
本発明の好ましい実施形態による電源制御装置は、正の直流電圧が供給される状態を検出する第１トランジスタと、正の直流電圧が供給される状態を前記第１トランジスタが検出した場合にオン状態になり、サブ電源電圧をメイン電源制御回路および維持回路に供給させ、正の直流電圧が供給される状態を前記第１トランジスタが検出しない場合にオフ状態になり、サブ電源電圧を前記メイン電源制御回路および前記維持回路に供給させない第３トランジスタと、前記第３トランジスタがオン状態の場合にサブ電源電圧が供給されることにより、メイン電源回路をオフ状態に制御し、前記第３トランジスタがオフ状態の場合にサブ電源電圧が供給されないことにより、前記メイン電源回路をオン状態に制御する前記メイン電源制御回路と、前記第３トランジスタがオン状態の場合にサブ電源電圧を前記第１トランジスタに供給することにより、正の直流電圧が供給される状態を前記第１トランジスタに継続的に検出させる前記維持回路とを備える。
【０００８】
正の直流電圧が供給される状態を検出したとき、正の直流電圧が供給される状態を第１トランジスタに継続的に検出させることによって、メイン電源回路を継続的にオフ状態にすることができる。
【０００９】
好ましい実施形態においては、前記維持回路が、前記第３トランジスタの電極の１つにアノードが接続され、かつ、前記第１トランジスタの電極の１つにカソードが接続されているダイオードを有する。
【００１０】
ダイオードを介してサブ電源電圧を第１トランジスタの電極の１つに供給することによって正の直流電圧が供給される状態を第１トランジスタに継続的に検出させることができる。
【００１１】
本発明の好ましい実施形態による電源制御装置は、負の直流電圧が供給される状態を検出する第２トランジスタと、負の直流電圧が供給される状態を前記第２トランジスタが検出した場合にオン状態になり、サブ電源電圧をメイン電源制御回路および維持回路に供給させ、負の直流電圧が供給される状態を前記第２トランジスタが検出しない場合にオフ状態になり、サブ電源電圧を前記メイン電源制御回路および前記維持回路に供給させない第３トランジスタと、前記第３トランジスタがオン状態の場合にサブ電源電圧が供給されることにより、メイン電源回路をオフ状態に制御し、前記第３トランジスタがオフ状態の場合にサブ電源電圧が供給されないことにより、前記メイン電源回路をオン状態に制御する前記メイン電源制御回路と、前記第３トランジスタがオン状態の場合にサブ電源電圧を前記第２トランジスタに供給することにより、負の直流電圧が供給される状態を前記第２トランジスタに継続的に検出させる前記維持回路とを備える。
【００１２】
負の直流電圧が供給される状態を検出したとき、負の直流電圧が供給される状態を第２トランジスタに継続的に検出させることによって、メイン電源回路を継続的にオフ状態にすることができる。
【発明の効果】
【００１３】
直流電圧が供給される状態を検出し、メイン電源回路を継続的にオフ状態にすることができる電源制御装置を提供することができる。
【図面の簡単な説明】
【００１４】
【図１】本発明の好ましい実施形態による電源制御装置を示す回路図である。
【図２】本発明の好ましい実施形態による電源制御装置を示す回路図である。
【図３】本発明の好ましい実施形態による電源制御装置を示す回路図である。
【図４】本発明の好ましい実施形態による電源制御装置を示す回路図である。
【図５】本発明の好ましい実施形態による電源制御装置を示す回路図である。
【発明を実施するための形態】
【００１５】
［実施例１］
以下、本発明の好ましい実施形態について、図面を参照して具体的に説明するが、本発明はこれらの実施形態には限定されない。図１は、本発明の好ましい実施形態による電源制御装置が適用される増幅装置１の要部を示す概略回路図である。
【００１６】
増幅装置１は、検出回路２と、維持回路３と、メイン電源制御回路４と、リレー回路５とを備える。
【００１７】
検出回路２は、増幅装置１のアンプ回路からスピーカー（負荷）に正の直流（ＤＣ）電圧が供給される状態を検出する。詳細には、図１のＡ点電圧のレベル（振幅値）が第１の所定値以上であることを検出する。第１の所定値は正の値であり、特に限定されないが、例えば＋１２Ｖである。また、検出回路２は、増幅装置１のアンプ回路からスピーカーに負の直流（ＤＣ）電圧が供給される状態を検出する。詳細には、図１のＡ点電圧のレベル（振幅値）が第２の所定値以下であることを検出する。第２の所定値は負の値であり、特に限定されないが、例えば−１２Ｖである。
【００１８】
検出回路２は、抵抗Ｒ０〜Ｒ３、トランジスタＱ１〜Ｑ３、ダイオードＤ１、Ｄ２、および、コンデンサＣ１を有する。抵Ｒ１の一端はスピーカーへの音声出力端子（つまり、アンプ回路の出力）に接続され、他端はコンデンサＣ１を介して接地電位に接続され、かつ、ダイオードＤ１のアノードと、トランジスタＱ２のエミッタとに接続されている。また、抵抗Ｒ０はコンデンサＣ１に並列に接続されている。
【００１９】
トランジスタＱ１は、増幅装置１のアンプ回路からスピーカーに正の直流電圧が供給される状態を検出するトランジスタである。トランジスタＱ１は、ベースがダイオードＤ１のカソードと抵抗Ｒ４との接続点に接続され、エミッタが接地電位に接続され、コレクタがトランジスタＱ２のコレクタと抵抗Ｒ２との接続点に接続されている。トランジスタＱ１は、増幅装置１のアンプ回路からスピーカーに正の直流電圧が供給される状態である場合、つまり、Ａ点電圧が第１の所定値以上である場合に、ベース−エミッタ間電圧が導通開始電圧以上となり、オン状態になる。
【００２０】
トランジスタＱ２は、増幅装置１のアンプ回路からスピーカーに負の直流電圧が供給される状態を検出するトランジスタである。トランジスタＱ２は、ベースがダイオードＤ２のカソードに接続され、エミッタが抵抗Ｒ１とコンデンサＣ１とダイオードＤ１のアノードとの接続点に接続され、コレクタがトランジスタＱ１のコレクタと抵抗Ｒ２との接続点に接続されている。ダイオードＤ２のアノードは接地電位に接続されている。トランジスタＱ２は、増幅装置１のアンプ回路からスピーカーに負の直流電圧が供給される状態である場合、つまり、Ａ点電圧が第２の所定値以下である場合に、ベース−エミッタ間電圧が導通開始電圧以上となり、オン状態になる。
【００２１】
抵抗Ｒ１およびコンデンサＣ１は時定数回路を構成し、アンプ回路から振幅値の大きい音声信号がスピーカーに供給される場合に、音声信号によってＡ点電圧が第１の所定値以上、又は、第２の所定値以下になることを防止する。つまり、アンプ回路からの音声信号は交流電圧であり振幅値が正および負の値に随時変化しているので、時定数回路の影響によって、Ａ点電圧がトランジスタＱ１、Ｑ２がオン状態になる電圧に達しない。一方、アンプ回路からの直流電圧が継続的にスピーカーに供給される状態においては、時定数回路によって、所定時間後にＡ点電圧がトランジスタＱ１またはＱ２をオン状態にする電圧まで達する。
【００２２】
トランジスタＱ３は、トランジスタＱ１、Ｑ２のオン状態またはオフ状態に応じて、サブ電源回路６からのサブ電源電圧Ｖｓを維持回路３およびメイン電源制御回路４に供給するか否かを切換えるトランジスタである。トランジスタＱ３は、エミッタがサブ電源回路６に接続されサブ電源電圧Ｖｓが供給され、かつ、抵抗Ｒ３を介してトランジスタＱ３のベースと抵抗Ｒ２との接続点に接続され、コレクタがダイオードＤ３のアノードと抵抗Ｒ５との接続点に接続され、ベースが抵抗Ｒ２とＲ３との接続点に接続されている。トランジスタＱ３は、トランジスタＱ１またはＱ２がオン状態のときに、ベースが接地電位に接続された状態になりオン状態になり、メイン電源制御回路４にサブ電源電圧Ｖｓを供給する。一方、トランジスタＱ３は、トランジスタＱ１，Ｑ２が共にオフ状態のときに、べースにサブ電源電圧Ｖｓが供給されオフ状態になり、メイン電源制御回路４へのサブ電源電圧Ｖｓの供給を遮断する。
【００２３】
維持回路３は、増幅装置１のアンプ回路からスピーカーに正の直流電圧が供給される状態であることを検出回路２が検出した場合、アンプ回路からスピーカーに供給される電圧値とは無関係に、増幅装置１のアンプ回路からスピーカーに正の直流電圧が供給される状態であることを検出回路２に継続的に検出させる。また、維持回路３は、増幅装置１のアンプ回路からスピーカーに負の直流電圧が供給されている状態を検出回路２が検出した場合、増幅装置１からスピーカーに供給される電圧値とは無関係に、増幅装置１のアンプ回路からスピーカーに正の直流電圧が供給される状態であることを検出回路２に継続的に検出させる。
【００２４】
維持回路３は、ダイオードＤ３および抵抗Ｒ４を有する。ダイオードＤ３のアノードはトランジスタＱ３のコレクタと抵抗Ｒ５との接続点に接続され、カソードは抵抗Ｒ４を介してトランジスタＱ１のベースとダイオードＤ１のカソードとの接続点に接続されている。ダイオードＤ３は、トランジスタＱ３がオン状態になると、サブ電源電圧Ｖｓを、抵抗Ｒ４を介してトランジスタＱ１のベースに供給することによって、トランジスタＱ１をオン状態に維持させ、その結果、トランジスタＱ３のオン状態を維持させる。
【００２５】
リレー回路５はコイル５ａとリレースイッチ５ｂとを有し、コイル５ａにサブ電源回路６からのサブ電源電圧Ｖｓが供給されることによりリレースイッチ５ｂがオン状態になり、メイン電源回路７に商用交流電源を供給し、メイン電源回路７をオン状態にさせる。メイン電源回路７は、オン状態になるとメイン電源電圧Ｖｍをアンプ回路等に供給するので、アンプ回路はスピーカーに音声信号（アンプ回路の破損時には直流電圧）を供給する。一方、リレー回路５は、コイル５ａにサブ電源電圧Ｖｓが供給されないと、リレースイッチ５ｂがオフ状態になり、メイン電源回路７への商用交流電源の供給が遮断され、メイン電源回路７をオフ状態にさせる。メイン電源回路７は、オフ状態になるとメイン電源電圧Ｖｍをアンプ回路等に供給しないので、アンプ回路はスピーカーに音声信号（アンプ回路の破損時には直流電圧）を供給しない。リレースイッチ５ｂのオンオフ制御は通常はトランジスタＱ６によって制御される。
【００２６】
メイン電源制御回路４は、検出回路２からのサブ電源電圧Ｖｓの供給有無に応じて、リレー回路５のリレースイッチ５ｂのオン状態およびオフ状態を制御し、メイン電源回路７のオン状態及びオフ状態を制御する。メイン電源制御回路４は、トランジスタＱ３がオン状態であり、サブ電源電圧Ｖｓが供給されるとき、コイル５ａにサブ電源回路６からサブ電源電圧Ｖｓを供給させず、その結果、リレースイッチ５ｂをオフ状態にさせる。一方、トランジスタＱ３がオフ状態であり、サブ電源電圧Ｖｓが供給されないとき、コイル５ａにサブ電源回路６からサブ電源電圧Ｖｓを供給させ、その結果、リレースイッチ５ｂをオン状態にさせる。
【００２７】
メイン電源制御回路４は、抵抗Ｒ５，Ｒ６、および、トランジスタＱ４，Ｑ５を有する。トランジスタＱ４は、サブ電源電圧Ｖｓの供給有無に応じて、トランジスタＱ５のオンオフを制御するトランジスタである。トランジスタＱ４は、ベースが抵抗Ｒ５を介してトランジスタＱ３のコレクタとダイオードＤ３のアノードとの接続点に接続され、かつ、抵抗Ｒ６を介して接地電位に接続され、エミッタが接地電位に接続され、コレクタがトランジスタＱ５のベースに接続されている。トランジスタＱ５はオフ状態になることによってコイル５ａを接地電位に対して開放状態にし、サブ電源電圧Ｖｓをコイル５ａに供給させず、オン状態になることによってコイル５ａを接地電位に接続された状態にし、サブ電源電圧Ｖｓをコイル５ａに供給させる。トランジスタＱ５のベースはトランジスタＱ４のコレクタに接続され、エミッタは接地電位に接続され、コレクタはコイル５ａに接続されている。
【００２８】
本実施例の動作を説明する。
［正常動作時］
増幅装置１のアンプ回路が破損していない場合、アンプ回路から正の直流電圧または負の直流電圧がスピーカーおよび検出回路２に供給されない。また、アンプ回路からスピーカーへ供給される音声信号（交流電圧）が検出回路２に供給されるが、時定数回路によってＡ点電圧は第１の所定値以上にならず、かつ、第２の所定値以下にならない。従って、Ａ点電圧が第１の所定値未満であり、かつ、第２の所定値よりも大きい（−１２Ｖよりも大きく＋１２Ｖ未満である）ので、トランジスタＱ１、Ｑ２は共にオフ状態になっている。その結果、トランジスタＱ３は、サブ電源電圧Ｖｓがベースに供給された状態であり、オフ状態になっている。トランジスタＱ３がオフ状態であるので、トランジスタＱ４は、ベースにはサブ電源電圧Ｖｓが供給されず、オフ状態である。トランジスタＱ５はベースが接地電位から開放された状態でありオン状態になっており、その結果、サブ電源回路６からのサブ電源電圧Ｖｓがコイル５ａに供給された状態になり、リレースイッチ５ｂがオン状態になっている。従って、メイン電源回路７はオン状態になっており、アンプ回路からの音声信号はスピーカーへ出力される。
【００２９】
［正の直流電圧が供給される、つまり、Ａ点電圧が第１の所定値以上のとき］
アンプ回路から正の直流電圧が検出回路２に供給されると、Ａ点電圧が徐々に上昇し、時定数回路によって定まる所定時間経過後に、Ａ点電圧が第１の所定値（概略＋１２Ｖ）以上になる。これにより、トランジスタＱ１はオン状態になり、トランジスタＱ２はオフ状態になる。その結果、トランジスタＱ３は、ベースが接地電位に接続された状態になり、オン状態になる。トランジスタＱ３がオン状態になると、トランジスタＱ４は、ベースにサブ電源電圧Ｖｓが供給され、オン状態になる。トランジスタＱ５はベースが接地電位に接続された状態になりオフ状態になる。その結果、サブ電源回路６からのサブ電源電圧Ｖｓがコイル５ａに供給されない状態になり、リレースイッチ５ｂがオフ状態になる。従って、メイン電源回路７はオフ状態になり、アンプ回路からスピーカーに正の直流電圧が供給されることが阻止され、スピーカーの破損を防止できる。ここで、トランジスタＱ３がオン状態になると、サブ電源回路６からのサブ電源電圧ＶｓがダイオードＤ３、抵抗Ｒ４を介してトランジスタＱ１のベースに供給されるようになるので、アンプ回路からスピーカーへ供給される電圧値によらず、トランジスタＱ１がオン状態を維持するようになる。従って、継続的にリレースイッチ５ｂをオフ状態にし、継続的にメイン電源回路７をオフ状態にすることができる。
【００３０】
［負の直流電圧が供給される、つまり、Ａ点電圧が第２の所定値以下のとき］
アンプ回路から負の直流電圧が検出回路２に供給されると、Ａ点電圧が徐々に下降し、時定数回路によって定まる所定時間経過後に、Ａ点電圧が第２の所定値（概略−１２Ｖ）以下になる。これにより、トランジスタＱ２はオン状態になり、トランジスタＱ１はオフ状態になる。その結果、トランジスタＱ３は、ベースが接地電位に接続された状態になり、オン状態になる。トランジスタＱ３がオン状態になると、トランジスタＱ４は、ベースにサブ電源電圧Ｖｓが供給され、オン状態になる。トランジスタＱ５はベースが接地電位に接続された状態になりオフ状態になる。その結果、サブ電源回路６からのサブ電源電圧Ｖｓがコイル５ａに供給されない状態になり、リレースイッチ５ｂがオフ状態になる。従って、メイン電源回路７はオフ状態になり、アンプ回路からスピーカーに負の直流電圧が供給されることが阻止され、スピーカーの破損を防止できる。ここで、トランジスタＱ３がオン状態になると、サブ電源回路６からのサブ電源電圧ＶｓがダイオードＤ３、抵抗Ｒ４を介してトランジスタＱ１のベースに供給されるようになるので、アンプ回路からスピーカーへ供給される電圧値によらず、トランジスタＱ１がオン状態を維持するようになる。従って、継続的にリレースイッチ５ｂをオフ状態にし、継続的にメイン電源回路７をオフ状態にすることができる。
【００３１】
以上のように、本実施例によると、ダイオードＤ３の機能によって、アンプ回路からスピーカーに正の直流電圧または負の直流電圧が供給される状態が検出されると、その後、継続的にリレースイッチ５ｂをオフ状態にし、メイン電源回路７を継続的にオフ状態にすることができる。
【００３２】
［実施例２］
図２は、本実施例における電源制御装置が適用される増幅装置１１の要部を示す回路図である。本実施例では、実施例１と比較して、メイン電源制御回路４が第２メイン電源制御回路８に変更されている。第２メイン電源制御回路８は、ダイオードＤ４、Ｄ５を有し、トランジスタＱ３がオン状態のときに、サブ電源電圧Ｖｓが供給されて、サブ電源回路６をダイオードＤ４、Ｄ５を介して接地電位に接続することによって、サブ電源電圧Ｖｓを所定電圧まで低下させる。所定電圧は、リレースイッチ５ｂがオフ状態になり、かつ、トランジスタＱ１をオン状態にすることができる電圧であり、概略＋１．２Ｖである。
【００３３】
本実施例の動作を説明する。
［正常動作時］
実施例１と同じである。
【００３４】
［正の直流電圧が供給される、つまり、Ａ点電圧が第１の所定値以上のとき］
アンプ回路から正の直流電圧が検出回路２に供給されると、Ａ点電圧が徐々に上昇し、時定数回路によって定まる所定時間経過後に、Ａ点電圧が第１の所定値（概略＋１２Ｖ）以上になる。これにより、トランジスタＱ１はオン状態になり、トランジスタＱ２はオフ状態になる。その結果、トランジスタＱ３は、ベースが接地電位に接続された状態になり、オン状態になる。トランジスタＱ３がオン状態になると、サブ電源回路６はダイオードＤ４、Ｄ５を介して接地電位に接続された状態になり、サブ電源電圧Ｖｓは所定電圧（概略＋１．２Ｖ）まで低下する。その結果、サブ電源回路６からのサブ電源電圧Ｖｓがコイル５ａに供給されるものの、リレースイッチ５ｂをオン状態にする電圧まで達していないので、リレースイッチ５ｂがオフ状態になる。従って、メイン電源回路７はオフ状態になるので、アンプ回路からスピーカーに正の直流電圧が供給されることが阻止される。ここで、トランジスタＱ３がオン状態になると、サブ電源電圧Ｖｓ（概略＋１．２Ｖ）がダイオードＤ３、抵抗Ｒ４を介してトランジスタＱ１のベースに供給されるようになるので、アンプ回路からスピーカーへ供給される電圧値によらず、トランジスタＱ１がオン状態を維持するようになる。従って、継続的にリレースイッチ５ｂをオフ状態にし、継続的にメイン電源回路７をオフ状態にすることができる。
【００３５】
［負の直流電圧が供給される、つまり、Ａ点電圧が第２の所定値以下のとき］
アンプ回路から負の直流電圧が検出回路２に供給されると、Ａ点電圧が徐々に下降し、時定数回路によって定まる所定時間経過後に、Ａ点電圧が第２の所定値（概略−１２Ｖ）以下になる。これにより、トランジスタＱ２はオン状態になり、トランジスタＱ１はオフ状態になる。その結果、トランジスタＱ３は、ベースが接地電位に接続された状態になり、オン状態になる。トランジスタＱ３がオン状態になると、サブ電源回路６はダイオードＤ４、Ｄ５を介して接地電位に接続された状態になり、サブ電源電圧Ｖｓは所定電圧（概略＋１．２Ｖ）まで低下する。その結果、サブ電源回路６からのサブ電源電圧Ｖｓがコイル５ａに供給されるものの、リレースイッチ５ｂをオン状態にする電圧まで達していないので、リレースイッチ５ｂがオフ状態になる。従って、メイン電源回路７はオフ状態になるので、アンプ回路からスピーカーに負の直流電圧が供給されることが阻止される。ここで、トランジスタＱ３がオン状態になると、サブ電源電圧Ｖｓ（概略＋１．２Ｖ）がダイオードＤ３、抵抗Ｒ４を介してトランジスタＱ１のベースに供給されるようになるので、アンプ回路からスピーカーへ供給される電圧値によらず、トランジスタＱ１がオン状態を維持するようになる。従って、継続的にリレースイッチ５ｂをオフ状態にし、継続的にメイン電源回路７をオフ状態にすることができる。
【００３６】
以上のように、本実施例によると、ダイオードＤ３の機能によって、アンプ回路からスピーカーに正の直流電圧または負の直流電圧が供給される状態が検出されると、その後、継続的にリレースイッチ５ｂをオフ状態にし、メイン電源回路７を継続的にオフ状態にすることができる。
【００３７】
［実施例３］
図３は、本実施例における電源制御装置が適用される増幅装置２１の要部を示す回路図である。本実施例は、実施例１と実施例２とを組み合わせたものであり、増幅装置２１は、メイン電源制御回路４と第２メイン電源制御回路８との両方を備えている。なお、これらの動作は実施例１および２で説明した通りである。
【００３８】
［実施例４］
上記の実施例ではアンプ回路が破損し、アンプ回路から直流電圧が供給される場合に、メイン電源回路７を継続的にオフ状態にする電源制御装置を示したが、本例では、メイン電源回路が破損し、例えば正常状態においては＋１５Ｖの直流電圧が供給されるところ、＋２０Ｖの直流電圧が供給されるような場合に、リレースイッチ５ｂを継続的にオフ状態にし、メイン電源回路７を継続的にオフ状態に制御する。図４は、本例を示す概略回路図である。本例では、図１と比較し、トランジスタＱ２およびダイオードＤ２が省略され、かつ、コンデンサＣ１に代えて抵抗Ｒ７が設けられている。本例の動作は、図１においてアンプ回路からスピーカーに正の直流電圧が供給される場合と概略同じである。
【００３９】
［実施例５］
本例では、メイン電源回路が破損し、例えば正常状態においては−１５Ｖの直流電圧が供給されるところ、−２０Ｖの直流電圧が供給されるような場合に、リレースイッチ５ｂを継続的にオフ状態にし、メイン電源回路７を継続的にオフ状態に制御する。図５は、本例を示す概略回路図である。本例では、図１と比較し、トランジスタＱ１およびダイオードＤ１が省略され、かつ、コンデンサＣ１に代えて抵抗Ｒ７が設けられており、ダイオードＤ３のカソードが抵抗Ｒ４を介してトランジスタＱ２のベースに接続されている。本例の動作は、図１においてアンプ回路からスピーカーに負の直流電圧が供給される場合と概略同じであるが、トランジスタＱ３がオン状態になると、サブ電源電圧ＶｓがダイオードＤ３、抵抗Ｒ４を介してトランジスタＱ２のベースに供給される。従って、維持回路３の機能によって、トランジスタＱ２が、負の直流電圧が供給されている状態を継続的に検出する。
【００４０】
以上、本発明の好ましい実施形態を説明したが、本発明はこれらの実施形態には限定されない。
【産業上の利用可能性】
【００４１】
本発明は、アンプ、ＡＶアンプ、アンプ内蔵スピーカー、ＴＶ受像機等に好適に採用され得る。
【符号の説明】
【００４２】
１              増幅装置
２              検出回路
３              維持回路
４              メイン電源制御回路
５              リレー回路
６              サブ電源回路
７              メイン電源回路
８              第２メイン電源制御回路
１０            アンプ回路
１１            増幅装置
２１            増幅装置
【図１】
0005510028.tif 000002
【図２】
0005510028.tif 000003
【図３】
0005510028.tif 000004
【図４】
0005510028.tif 000005
【図５】
0005510028.tif 000006